(57)【特許請求の範囲】
【請求項１】
スポーツ用シューズのソール構造体であって、
当該ソール構造体の少なくとも踵部位に設けられ、踵周縁部に波形状を有するとともに、前記波形状の振幅が踵周縁側に向かうにしたがい大きくなっているウェーブプレートと、
前記ウェーブプレートの下面において前記踵周縁部に沿って配置され、その上面が前記ウェーブプレートの前記下面に固着された、弾性部材製の複数の柱部材とを備え、
前記柱部材の前記上面は、踵周縁側に向かうにしたがい下面からの高さが低くなる傾斜面を有している、
ことを特徴とするスポーツ用シューズのソール構造体。
【請求項２】
請求項１において、
前記ウェーブプレートの前記波形状の稜線が、踵中央部から踵周縁部に向かって放射状に延びている、
ことを特徴とするスポーツ用シューズのソール構造体。
【請求項３】
請求項２において、
前記稜線の踵内部への延長線が、踵中心線上において踵後端から０．１５Ｌ（Ｌ：シューズの表示サイズ足長）の位置に中心を有しかつ半径０．０５Ｌの円で囲まれた領域を通っている、
ことを特徴とするスポーツ用シューズのソール構造体。
【請求項４】
請求項３において、
前記各柱部材が、前記領域の外側において前記領域を囲むように配置されている、
ことを特徴とするスポーツ用シューズのソール構造体。
【請求項５】
請求項１において、
前記柱部材が、前記ウェーブプレートの前記下面において、前記ウェーブプレートの前記波形状における下に凸の部位に配置されている、
ことを特徴とするスポーツ用シューズのソール構造体。
【請求項６】
請求項１において、
前記ウェーブプレートの踵中央部が平坦状に形成されている、
ことを特徴とするスポーツ用シューズのソール構造体。
【請求項７】
請求項１において、
前記ウェーブプレートの踵中央部が、前後方向に延びる長孔状の貫通孔を有している、
ことを特徴とするスポーツ用シューズのソール構造体。
【請求項８】
請求項１において、
前記ウェーブプレートの上面には、軟質弾性部材製のミッドソールが配置されている、
ことを特徴とするスポーツ用シューズのソール構造体。
【請求項９】
請求項１において、
前記柱部材の幅は、踵中央部から踵周縁部に向かうにしたがい大きくなっている、
ことを特徴とするスポーツ用シューズのソール構造体。
【請求項１０】
請求項９において、
前記柱部材の鉛直方向および水平方向の各断面形状が概略台形形状を有している、
ことを特徴とするスポーツ用シューズのソール構造体。
【請求項１１】
請求項１において、
前記柱部材が、踵後端縁部に配置された第１の柱部材と、踵外甲側縁部に配置された第２の柱部材と、踵内甲側縁部に配置された第３の柱部材とを有している、
ことを特徴とするスポーツ用シューズのソール構造体。
【請求項１２】
請求項１において、
前記複数の柱部材の踵中央部側の部分が、プレート状の連結部を介してＵ字状に連結されている、
ことを特徴とするスポーツ用シューズのソール構造体。
【請求項１３】
請求項１２において、
前記連結部は、前記柱部材の踵中央部側の内側面を越えて踵中央部側に鍔状に張り出している、
ことを特徴とするスポーツ用シューズのソール構造体。
【請求項１４】
請求項１において、
前記複数の柱部材の各下面が、樹脂製のプレートにより前後方向に連結されている、
ことを特徴とするスポーツ用シューズのソール構造体。
【請求項１５】
請求項１４において、
前記プレートが、前記各柱部材を連結しつつＵ字状に延びている、
ことを特徴とするスポーツ用シューズのソール構造体。
【請求項１６】
請求項１４において、
前記プレートの下面には、接地面を有するアウトソールが設けられている、
ことを特徴とするスポーツ用シューズのソール構造体。
【請求項１７】
請求項１６において、
前記柱部材の前記下面を支持するプレート部位に対応するアウトソール部位の下面は、当該アウトソールの接地面よりも上方に配置されている、
ことを特徴とするスポーツ用シューズのソール構造体。
【発明の詳細な説明】
【技術分野】
【０００１】
本発明は、スポーツ用シューズのソール構造体に関し、詳細には、軽量化を実現でき、踵着地時の安定性を確保できるばかりでなく、踵着地時の反発性を向上できるようにするための構造の改良に関する。
【背景技術】
【０００２】
スポーツ用シューズのソール構造体として、特開平１１−２０３号公報に示すように、シューズの踵部分に配置された軟質弾性部材製の上下部ミッドソールと、これらの間に挟持された波形シートとを備えたものが提案されている。
【０００３】
この場合には、ミッドソールの踵部位が波形シートを内蔵していることにより、シューズの踵着地時に、ミッドソールの踵部位が左右方向に横ずれ変形するのを抑制する抵抗力が発生するようになっており、これにより、ソール踵部位の横振れが防止されて、踵着地時の安定性が確保されている。
【０００４】
しかしながら、この場合には、波形シートの上下部に軟質弾性部材製の上下部ミッドソールが設けられているので、ソール構造体全体の重量が重くなるという欠点がある。
【０００５】
その一方、米国特許第6,487,796号明細書には、ソールの踵部位に複数の弾性支持部材が設けられ、各弾性支持部材の上面が踵内部に向かって下方に傾斜するとともに、各弾性支持部材の外周面に沿って切込みが形成されたソール構造体が記載されている。すなわち、この場合には、各弾性支持部材の高さは、ソール外周縁部で最も高く、ソール内部に向かうにしたがって徐々に低くなって、ソール最内側で最も低くなっている（ＦＩＧ．６、７参照）。また、切り込みは、圧縮荷重の作用時に各弾性支持部材が踵内側に向かって倒れ込むように変形する位置に形成されている。
【０００６】
この場合には、相対的に重量の重い軟質弾性部材を用いることなく、各弾性支持部材をヒールプレートおよびベースで上下に挟み込むことにより構成されているので、ソール構造体全体の重量を軽減することが可能である。また、上記米国特許には、着用者の足の踵骨の周縁部が各弾性支持部材の上面において高さが低い側の傾斜面で支持されることにより、踵着地時には踵骨から作用する圧縮力で各弾性支持部材が踵内側に変位し、これにより、横方向の安定性が向上する、と記載されている。
【０００７】
しかしながら、上記米国特許に記載のものでは、踵着地時に各弾性支持部材が踵内側に倒れ込むことにより、足の踵部が各弾性支持部材の間の中間領域に向かって下方に沈み込むことで、踵着地時の横方向の安定性を図っており、このため、踵着地時から踵離地時にかけて要求されるソール踵部位としての十分な反発性を備えているとはいえない。
【特許文献１】特開平１１−２０３号公報（図１、図２参照）
【特許文献２】米国特許第6,487,796号明細書（ＦＩＧ．６、７参照）
【発明の開示】
【発明が解決しようとする課題】
【０００８】
本発明は、このような従来の実情に鑑みてなされたもので、軽量化を実現でき、踵着地時の安定性を確保できるばかりでなく、踵着地時の反発性を向上できるスポーツ用シューズのソール構造体を提供しようとしている。
【課題を解決するための手段】
【０００９】
請求項１の発明に係るスポーツ用シューズのソール構造体は、当該ソール構造体の少なくとも踵部位に設けられ、踵周縁部に波形状部を有するとともに、当該波形状部の振幅が、踵周縁側に向かうにしたがい大きくなっているウェーブプレートと、ウェーブプレートの下面において踵周縁部に沿って配置され、その上面が前記ウェーブプレートの前記下面に固着された、弾性部材製の複数の柱部材とを備えている。柱部材の上面は、踵周縁側に向かうにしたがい下面からの高さが低くなる傾斜面になっている。
【００１０】
この場合には、ウェーブプレートの下面が、当該下面全面に装着される軟質弾性部材製のミッドソールではなく、間隔を隔てて配設された複数の柱部材から支持されるので、ソール構造体全体を軽量化できる。
【００１１】
また、この場合には、ソール構造体の踵部位にウェーブプレートが設けられるとともに、ウェーブプレートの波形状の振幅が踵周縁側に向かうにしたがい大きくなっているので、踵着地時に足の踵が回内または回外を起こして横方向に倒れ込もうとした場合でも、ウェーブプレートの踵周縁側ほど圧縮変形しにくくなっていることで、このような踵の横振れを確実に防止でき、踵着地時の安定性を向上できる。
【００１２】
しかも、この場合には、ウェーブプレートの踵中央部に波形状が形成されていないことにより、踵着地時にウェーブプレートの踵中央部に圧縮荷重が作用したとき、踵中央部が下方に沈み込み変形しやすくなっているが、このとき、ウェーブプレートの下面の踵周縁部が複数の柱部材で支持されているので、圧縮荷重は柱部材の上面の踵中央部側の面に作用して踵中央部側を圧縮変形させるとともに、柱部材をその下面の踵中央部側の縁部の回りに回転させようとするモーメントを発生させる。
【００１３】
このモーメントの作用により、柱部材上面の踵周縁部側の面は上方に持ち上げられようとする。ところが、このとき、柱部材上面の踵周縁部側の面は、ウェーブプレートの下面の踵周縁部に配設された波形状部に圧接しており、この波形状部の作用によって、前記モーメントとは逆方向のモーメントが発生する。
【００１４】
これにより、踵着地時には、柱部材上面の踵周縁部側の面の上方への動きが抑制され、ウェーブプレートの踵中央部の沈み込みを抑制できると同時に、高反発力を発生させることができる。
【００１５】
請求項２の発明では、請求項１において、ウェーブプレートの波形状の稜線が、踵中央部から踵周縁部に向かって放射状に延びている。
【００１６】
この場合には、ウェーブプレートの波形状の稜線が、踵着地時に踵中央部の足圧の高い円形状領域（図９および図１０参照）から遠ざかる方向に配設されることになるので、踵着地後の踵部の倒れを効果的に防止でき、踵部を安定して支持できるようになる。
【００１７】
請求項３の発明では、請求項２において、波形状の稜線の踵内部への延長線が、踵中心線上において踵後端から０．１５Ｌ（Ｌ：シューズの表示サイズ足長）の位置に中心を有しかつ半径０．０５Ｌの円で囲まれた領域を通っている。
【００１８】
この場合には、上記円形領域が、踵着地時に足圧の高い踵中央部の領域に概略一致している。したがって、請求項２の発明と同様に、ウェーブプレートの波形状の稜線は、踵中央部の足圧の高い円形状領域から遠ざかる方向に配設されており、これにより、踵着地後の踵部の倒れを効果的に防止でき、踵部を安定して支持できるようになる。
【００１９】
請求項４の発明では、請求項３において、各柱部材が、円形領域の外側において円形領域を囲むように配置されている。
【００２０】
この場合には、各柱部材により、踵着地時に足圧の高い円形領域を概略均等に安定して支持することができる。
【００２１】
請求項５の発明では、請求項１において、柱部材が、ウェーブプレートの下面において、ウェーブプレートの波形状における下に凸の部位に配置されている。
【００２２】
この場合には、踵着地時に踵中央部に作用する圧縮荷重によるモーメントによって、柱部材上面の踵周縁部側の面が上方に持ち上げられようとしたとき、当該踵周縁部側の面がウェーブプレートの波形状における下に凸の部位に圧接する。このとき、波形状の下に凸の部位は最も圧縮変形しにくい（つまり圧縮硬度が高い）ため、柱部材に対して逆方向の大きなモーメントを発生させる。これにより、踵着地時には、柱部材上面の踵周縁部上方への動きが規制され、より高い反発力を発生させることができる。
【００２３】
請求項６の発明では、請求項１において、ウェーブプレートの踵中央部が平坦状に形成されている。
【００２４】
この場合には、踵着地時にウェーブプレートの踵中央部の下方への変形が容易になる。
【００２５】
請求項７の発明では、請求項１において、ウェーブプレートの踵中央部が、前後方向に延びる長孔状の貫通孔を有している。
【００２６】
この場合には、踵着地時にウェーブプレートの踵中央部の下方への変形が一層容易になる。
【００２７】
請求項８の発明では、請求項１において、ウェーブプレートの上面に軟質弾性部材製のミッドソールが配置されている。
【００２８】
この場合には、着用者の足に対する足当たり感を向上できる。
【００２９】
請求項９の発明では、請求項１において、柱部材の幅が、踵中央部から踵周縁部に向かうにしたがい大きくなっている。
【００３０】
この場合には、柱部材の上面において、踵中央部側の面の方が踵周縁部側の面よりも面積が小さくなっており、これにより、踵中央部側の方が圧縮変形を起こしやすくなっている。
【００３１】
請求項１０の発明では、請求項９において、柱部材の鉛直方向および水平方向の各断面形状が概略台形形状を有している。
【００３２】
請求項１１の発明では、請求項１において、柱部材が、踵後端縁部に配置された第１の柱部材と、踵外甲側縁部に配置された第２の柱部材と、踵内甲側縁部に配置された第３の柱部材とを有している。
【００３３】
この場合には、踵着地時の圧縮荷重を最少の柱部材で安定して支持することができる。
【００３４】
請求項１２の発明では、請求項１において、複数の柱部材の踵中央部側の部分が、プレート状の連結部を介してＵ字状に連結されている。
【００３５】
この場合には、複数の柱部材がユニット化されるので、個々の柱部材の組み付けミスを防止できる。また、複数の柱部材がＵ字状に連結されることで、踵中央部の剛性を微調整することができる。
【００３６】
請求項１３の発明では、請求項１２において、連結部が、柱部材の踵中央部側の内側面を越えて踵中央部側に鍔状に張り出している。
【００３７】
この場合には、踵着地時に圧縮荷重が連結部の鍔状の張出部分に作用したときに、圧縮荷重の作用点が柱部材の踵中央部側の内側面から隔てられていることにより、柱部材の下面における踵中央部側の縁部の回りの回転モーメントが発生しやすくなっている。
【００３８】
請求項１４の発明では、請求項１において、複数の柱部材の各下面が、樹脂製のプレートにより前後方向に連結されている。
【００３９】
すなわち、この場合には、柱部材が、ウェーブプレートとプレートの間で挟持されることになる。これにより、踵着地時には、接地面側から作用する力をプレートを介して各柱部材に分散させることができる。
【００４０】
請求項１５の発明では、請求項１４において、プレートが各柱部材を連結しつつＵ字状に延びている。
【００４１】
請求項１６の発明では、請求項１４において、プレートの下面には、接地面を有するアウトソールが設けられている。
【００４２】
請求項１７の発明では、請求項１６において、柱部材の下面を支持するプレート部位に対応するアウトソール部位の下面は、当該アウトソールの接地面よりも上方に配置されている。
【００４３】
この場合には、踵着地時に走路からアウトソールに作用する反力は、まず、柱部材の直下から外れたアウトソール接地面に作用し、その後、各柱部材に分散されることになるので、踵着地時に各柱部材から足への突き上げ感を緩和できる。さらに、この場合には、柱部材直下のアウトソール部位がアウトソール接地面より上方に配置されていることで、踵接地時にアウトソール接地面に圧縮荷重が作用した際には、アウトソール接地面から上方に沈んで配置されているアウトソール部位が伸びやすくなっており、これにより、踵接地時のクッション性の向上に寄与できる。
【発明の効果】
【００４４】
以上のように、本発明に係るスポーツ用シューズのソール構造体によれば、ウェーブプレートの下面が、間隔を隔てて配設された複数の柱部材から支持されるので、ソール構造体全体を軽量化できる。また、この場合には、ソール構造体の踵部位にウェーブプレートが設けられ、ウェーブプレートの波形状の振幅が踵周縁側に向かうにしたがい大きくなっているので、踵着地時に足の踵が回内または回外を起こして横方向に倒れ込もうとした場合でも、踵の横振れを確実に防止でき、踵着地時の安定性を向上できる。しかも、この場合には、踵着地時にウェーブプレートの踵中央部に圧縮荷重が作用したとき、圧縮荷重は柱部材の上面の踵中央部側の面に作用して踵中央部側を圧縮変形させるとともに、柱部材をその下面の踵中央部側の縁部の回りに回転させようとするモーメントを発生させ、柱部材上面の踵周縁部側の面を上方に持ち上げようとするが、このとき、柱部材上面の踵周縁部側の面が、ウェーブプレートの下面の波形状部に圧接しているので、前記モーメントとは逆方向のモーメントが発生し、これにより、柱部材上面の踵周縁部側の面の上方への動きを抑制することができ、高反発力を発生させることができる。
【発明を実施するための最良の形態】
【００４５】
以下、本発明の実施態様を添付図面に基づいて説明する。
【００４６】
図１は本発明の一実施態様によるソール構造体の外甲側側面図、図２はその底面図、図３は図１のソール構造体を構成するウェーブプレートおよび柱部材ユニットの底面図、図４は図３の柱部材ユニットの底面図、図５はその平面図、図６は図３のVI-VI線断面図においてミッドソールを併せて示す図、図７ないし図８Ｂは本実施態様の作用効果を説明するための図、図９および図１０はランニング時の足圧分布図、図１１は落錘実験を行ったときの本実施態様によるソール構造体（本発明品）の反発率をサンプル品Ａ〜Ｃの反発率と比較して示すグラフ、図１２は落錘実験を行ったときの本発明品の接地時間をサンプル品Ａ〜Ｃの接地時間と比較して示すグラフ、図１３は本発明品が適用されたシューズを着用して走行したときのプロネーション角度をサンプル品Ａ〜Ｃのプロネーション角度と比較して示すグラフである。
【００４７】
図１および図２に示すように、このソール構造体１は、シューズの全長にわたって延設され、着用者の足裏側に配置される軟質弾性部材製のミッドソール２と、ミッドソール２の下面において踵部位から中足部位にかけて延設され、少なくとも踵部位に波形状を有する樹脂製のウェーブプレート３と、ウェーブプレート３の波形状部の下方に間隔を隔てて対向配置された樹脂製のプレート４と、ウェーブプレート３およびプレート４間に立設され、ウェーブプレート３およびプレート４で挟持される複数の柱部材５１〜５７（図１では一部のみ図示）からなる柱部材ユニット５と、プレート４の下面に装着されたラバー製のアウトソール６と、ミッドソール２の前足部位の下面に装着された同様にラバー製のアウトソール７とを備えている。ミッドソール２、ウェーブプレート３、プレート４、柱部材ユニット５およびアウトソール６、７は、たとえば接着剤により互いに固着されている。
【００４８】
ウェーブプレート３は、図３に示すように、前後方向に長孔状に延びる貫通孔３０ａが中央に形成された踵部位３０と、その前端に一体に形成された二股状の中足部位３１とを有している。
【００４９】
図３中、点線Ｌは、踵部位３０に形成された波形状部における波形状の稜線（山または谷の線）を示している。ウェーブプレート３の波形状部は、踵部位３０の周縁部に沿ってＵ字状に延設されている。すなわち、波形状の稜線Ｌは、踵部位３０の周縁部に沿って山、谷、山、谷…を交互に繰り返している。
【００５０】
ウェーブプレート３の波形状の稜線Ｌは、踵中央部から踵周縁部に向かって放射状に延びている。これは、踵着地後の踵部の倒れを効果的に防止して、踵安定性を向上させるためである。より具体的には、稜線Ｌのうち、最前端の稜線Ｌを除く残りの稜線Ｌの踵中央部側への延長線は、踵中心線Ｈｃ上において踵後端から０．１５Ｌ（Ｌ：シューズの表示サイズ足長）の位置に中心Ｏを有しかつ半径０．０５Ｌの円で囲まれた領域（図３中の斜線領域）を通っている。
【００５１】
上記円形領域は、走行時にシューズの踵部に作用する足圧に基づいて決定されている。これを図９および図１０を用いて説明する。これらの図は、実際の走行時にシューズのソールに作用する足圧の分布状態を示しており、各図において、内側の等圧線ほど圧力が高くなっている。また、図９（ａ）はシューズ着用者が分速１６７ｍで走行した場合を示し、同図（ｂ）は分速２００ｍで走行した場合を示しており、同様に、図１０（ａ）はシューズ着用者が分速２５０ｍで走行した場合を示し、同図（ｂ）は分速３３３ｍで走行した場合を示している。また、各図中の右端の数字は、シューズのサイズ足長を１００とした場合の踵後端からの距離を百分率で示している。
【００５２】
図９および図１０から分かるように、実際の走行時にシューズの踵部に発生する最大足圧は、踵中央部において踵後端からの距離が１５％の位置を中心としかつ半径が５％の円で囲まれた領域に実質的に位置しているといえる。言い換えれば、踵部の最大足圧は、踵中心線Ｈｃ上において踵後端から０．１５Ｌの位置に中心Ｏを有しかつ半径０．０５Ｌの円で囲まれた領域に実質的に位置している。
【００５３】
踵部位３０の中央部において、貫通孔３０ａの周囲には、平坦状の踵中央部３０Ａが形成されている。ウェーブプレート３の波形状の振幅は、踵周縁部に向かうにしたがって次第に大きくなっている。すなわち、ウェーブプレート３の踵中央部３０Ａと隣接する踵周縁部の位置では、波形状の振幅は０であるが、ここから踵周縁側に向かうにつれて波形状の上下方向の振れ幅が徐々に大きくなっている。
【００５４】
なお、ミッドソール３の下面において、ウェーブプレート３の貫通孔３０ａの開口部分に対応する領域にナイロン等のメッシュ素材を張り合わせるようにしてもよい。これは、ウェーブプレート３の踵中央部に貫通孔３０ａが形成されていることにより、踵着地時にミッドソール３の踵中央部が下方に大きく変形して、足の踵骨が過度に落ち込むことで足が疲労するのを防止するためである。
【００５５】
柱部材ユニット５は、図４および図５に示すように、間隔を隔てて配置された弾性部材製の複数の柱部材５１〜５７と、各柱部材を連結するとともに、前後方向に延びる長孔状の貫通孔５０ａを中央に有する連結プレート５０とから構成されている。
【００５６】
各柱部材５１〜５７のうち、柱部材５１〜５５は踵部位の周縁部に沿って配置されている。すなわち、（第１の）柱部材５１は踵後端縁部に配置され、（第２の）柱部材５２、５３は踵外甲側縁部に配置され、（第３の）柱部材５４、５５は踵内甲側縁部に配置されている。各柱部材５１〜５５は、上述した点Ｏを中心とする円形領域の外側において、当該円形領域を囲むように配置されている。これは、踵着地時に足圧の高い円形領域を概略均等に安定して支持するためである。なお、柱部材５６、５７は中足部位に配置されている（図３参照）。
【００５７】
各柱部材５１〜５５は、平面視（したがって水平方向の断面形状が）略台形形状を有し、いずれも踵中央部側の幅ｄ１が踵周縁部側の幅ｄ２よりも小さくなっており、踵中央部から踵周縁部に向かうにしたがい徐々に幅が大きくなっている。これは、圧縮荷重の作用時に踵中央部側の圧縮変形を起こりやすくするためである。
【００５８】
また、各柱部材５１〜５５は、側面視（したがって鉛直方向の断面形状が）略台形形状を有し、いずれも踵中央部側の高さの方が踵周縁部側の高さよりも高くなっており、踵内部から踵周縁部に向かうにしたがい徐々に高さが低くなっている。すなわち、図３のVI-VI線断面に相当する図６に示すように、たとえば柱部材５３について説明すると（柱部材５５についても同様）、柱部材５３の上面５３ａは、踵中央部側から踵周縁部側に向かうにしたがい、下方に傾斜する傾斜面となっており、平坦面である下面５３ｂからの高さは、踵中央部側の高さをｈ２とし、踵周縁部側の高さをｈ１とするとき、
ｈ２＞ｈ１
になっている。
【００５９】
なお、各柱部材５１〜５５において、それぞれの上面から踵中央部側には、平坦面（たとえば柱部材５３、５５について言えば、平坦面５３ｃ、５５ｃ（図６参照））が形成されている。
【００６０】
各柱部材５１〜５５の上面には、ウェーブプレート３の波形状部の下面が当接している。具体的には、各柱部材５１〜５５は、ウェーブプレート３の波形状の稜線Ｌのうちの谷の線Ｌに対応する位置、すなわち波形状における下に凸の位置に配置されている（図１参照）。
【００６１】
連結プレート５０は、各柱部材５１〜５７の踵中央部側の部分を連結している。この連結プレート５０により、複数の柱部材５１〜５７がユニット化されるので、個々の柱部材の組み付けミスを防止できる。なお、連結プレート５０は、各柱部材の踵中央部側の内側面（たとえば柱部材５３、５５について言えば、内側面５３ｄ、５５ｄ（図６参照））を越えて踵中央部側に鍔状に張り出していてもよい。この場合には、踵着地時の圧縮荷重が連結プレート５０の鍔状の張出部分に作用することにより、圧縮荷重の作用点が柱部材の踵中央部側の内側面から大きく隔てられることになって、柱部材下面の踵中央部側における縁部の回りの回転モーメントが発生しやすくなる。
【００６２】
プレート４は、各柱部材５１〜５７を連結しつつＵ字状に延設されている。プレート４の下面に配置されるアウトソール６は、同様に、Ｕ字状に延設されている。また、柱部材の下面を支持するプレート４の支持部位に対応するアウトソール６の部位の下面は、アウトソール６の接地面６ａよりも上方にΔだけ沈んで配置されている（図１参照）。このΔの量は、好ましくは２ｍｍ以上に設定される。
【００６３】
ミッドソール２を構成する材料としては、一般に、良好なクッション性を備えた軟質弾性部材が用いられるが、具体的には、エチレン−酢酸ビニル共重合体（ＥＶＡ）等の熱可塑性合成樹脂の発泡体やポリウレタン（ＰＵ）等の熱硬化性樹脂の発泡体、またはブタジエンラバーやクロロプレンラバー等のラバー素材の発泡体が用いられる。
【００６４】
各柱部材５１〜５７を構成する材料としては、たとえばラバーが好ましいが、その他に、ウレタン、ＥＶＡ、ポリアミドエラストマーなどの弾性体を用いるようにしてもよい。弾性体の硬度としては、ＪＩＳのＡ硬度で５０（Ａ）〜８０（Ａ）が好ましい。これは、８０（Ａ）より高くなると、安定性は高まるが、クッション性に劣ることになり、また５０（Ａ）より低くなると、クッション性は高まるが、安定性に欠けることになるからである。ラバーを用いることの利点として、性能の持続性を向上できる点がある。
【００６５】
ウェーブプレート３およびプレート４を構成する材料としては、たとえば、熱可塑性ポリウレタン（ＴＰＵ）やポリアミドエラストマー（ＰＡＥ）、ＡＢＳ樹脂等の熱可塑性樹脂、あるいはエポキシ樹脂や不飽和ポリエステル樹脂等の熱硬化性樹脂が用いられるが、その他、ラバー、ＥＶＡ、布帛などを用いるようにしてもよい。布帛を用いる際には、たとえばミッドソール２またはアウトソール６に積層、熱融着または接着することにより剛性を高めるようにするのが好ましい。
【００６６】
次に、本実施態様の作用効果について、図６ないし図８を用いて説明する。
図６に示すように、踵着地時には、足の踵骨ＣＡからミッドソール２を介してソール構造体に圧縮荷重Ｗが作用する。このとき、圧縮荷重Ｗの作用線は、ウェーブプレート３および柱部材ユニット５からなるソール構造体の幅方向の中心線ＣL上に配置されている（図７参照）。なお、図７は、図６においてミッドソールを省略した状態を示している。
【００６７】
ここで、ウェーブプレート３の踵中央部３０Ａは、波形状を有しておらず平坦状面になっており、しかも貫通孔３０ａを有しているので、圧縮荷重Ｗの作用によって、図８に示すように、踵中央部３０Ａは下方に容易に撓み、柱部材が圧縮変形する。さらに、圧縮荷重Ｗの作用により、角部Ａの回りに図示左回りのモーメントＭ１が発生し、角部Ｂの回りに図示右回りのモーメントＭ２が発生する。
【００６８】
これらのモーメントＭ１、Ｍ２により、各柱部材５３、５５の上面５３ａ、５５ａの踵周縁部側の部分が上方に持ち上げられようとする（図８中の点線参照）。ところが、このとき、柱部材５３、５５の踵周縁部側の上面５３ａ、５５ａは、ウェーブプレート３の下面の踵周縁部に配設された波形状部に圧接しており、この波形状部の作用による反力によって、モーメントＭ１、Ｍ２とは逆方向で大きさの等しいモーメントＭ１’、Ｍ２’がそれぞれ角部Ａ、Ｂの回りに発生する。
【００６９】
これにより、踵着地時には、各柱部材の踵周縁部側の上面の上方への動きが抑制され、その結果、ウェーブプレート３の踵中央部の沈み込みを抑制できると同時に、高反発力を発生させることができる。
【００７０】
しかも、この場合には、各柱部材５３、５５の上面５３ａ、５５ａが踵周縁側に向かうにしたがい下面からの高さが低くなる傾斜面になっていることで、逆方向のモーメントＭ１’、Ｍ２’の発生時には、ウェーブプレート３の波形状部から大きな反力を得ることができる。
【００７１】
このことを図８Ａおよび図８Ｂを用いて説明する。
図８Ａは、図８における柱部材５３部分の拡大図であり、モーメントＭ１の発生時にウェーブプレート３の波形状部から柱部材５３の傾斜面５３ａが受ける反力Ｆを示している。図８Ｂは、図８Ａの比較例を示しており、柱部材５３’の上面が平坦面５３’ａである場合に、同様にモーメントＭ１の発生時にウェーブプレート３から柱部材５３の平坦面５３’ａが受ける反力Ｆ’を示している。
【００７２】
図８Ａにおいて、反力Ｆの作用線に角部Ａから立てた垂線の足をＴとし、線分ＡＴの長さをｎとするとき、次式が成立する。
Ｍ１’＝Ｆ×ｎ      …（１）
【００７３】
一方、図８Ｂにおいて、反力Ｆ’の作用線が柱部材５３’の下面と交差する点をＴ’とし、線分ＡＴ’の長さをｎ’とするとき、次式が成立する。
Ｍ１’＝Ｆ’×ｎ’  …（２）
【００７４】
ここで、ｎ’＞ｎ  なので、（１）式および（２）式より
Ｆ＞ Ｆ’
となる。
【００７５】
したがって、柱部材５３の上面５３ａが踵周縁側に向かうにしたがい下面からの高さが低くなる傾斜面になっている場合の方が平坦面の場合に比べて、波形状部から受ける反力が大きくなる。これは、柱部材５５についても同様である。
【００７６】
また、各柱部材５３、５５の上面５３ａ、５５ａが踵周縁側に向かうにしたがい下面からの高さが低くなる傾斜面になっていることで、平坦面のものに比べて各柱部材５３、５５を軽量化できる。
【００７７】
ここで、本実施態様によるソール構造体について、反発率、接地時間およびプロネーション角度を実験により測定した結果を図１１〜図１３に示す。
【００７８】
各実験で使用した発明品およびその比較品としてのサンプルＡ、Ｂ、Ｃの詳細は、以下の通りである。
（ｉ）発明品：  本実施態様によるラバー製の柱部材ユニット５（ラバー硬度：６０Ａ）を樹脂製のウェーブプレート３およびプレート４で挟持してなる構造体。
（ii）サンプルＡ：  ＥＶＡ製のミッドソールからなる構造体。
（iii）サンプルＢ：  ＥＶＡ製のミッドソール内にエアパッキンを内蔵した構造体。
（iv）サンプルＣ：  ＥＶＡ製のミッドソール内にウェーブプレートを内蔵した構造体。
【００７９】
各実験で測定した項目の詳細は以下の通りである。
（ｉ）反発率：  上記各構造体に対して、重さが１０ｋｇで接地面の径が４５ｍｍの錘を高さ６０ｍｍから落下させた際に、接地面から受ける反力を接地面に加えた力で除した値。
（ii）接地時間：  上記各構造体に対して、重さが１０ｋｇで接地面の径が４５ｍｍの錘を高さ６０ｍｍから落下させた際に、錘が各構造体に接触してから離れるまでの時間。
（iii）プロネーション角度：  上記各構造体からなるシューズを被験者が履いてトレッドミルを１分間走行したときの足の下腿と踵部とのなす角度（つまり踵部の左右への倒れ角度）の平均値。
【００８０】
図１１のグラフから分かるように、本発明品は、いずれもサンプルよりも反発率が高く、加えられた荷重に対して高反発荷重を発生させる。また、図１２のグラフから分かるように、本発明品は、いずれのサンプルよりも接地時間が短かった。さらに、図１３のグラフから分かるように、本発明品は、いずれのサンプルよりもプロネーション角が小さく、走行時の踵部の倒れ込みが最も小さかった。
【００８１】
以上のことから、本発明品は、高反発性を実現できると同時に、着地時の踵安定性に優れていることが実証された。
【００８２】
また、本実施態様によれば、ウェーブプレート３の下面が、当該下面全面に装着される軟質弾性部材製のミッドソールではなく、間隔を隔てて配設された複数の柱部材５１〜５７から支持されるので、ソール構造体全体を軽量化できる。
【００８３】
さらに、ソール構造体の踵部位にウェーブプレート３が設けられるとともに、ウェーブプレート３の波形状の振幅が踵周縁側に向かうにしたがい大きくなっているので、踵着地時に足の踵が回内または回外を起こして横方向に倒れ込もうとした場合でも、ウェーブプレート３の踵周縁側ほど圧縮変形しにくくなっていることで、このような踵の横振れを確実に防止でき、踵着地時の安定性を向上できる。
【００８４】
また、本実施態様によれば、複数の柱部材を踵周縁部に沿って配置したことで、図３中の矢印Ｐ方向で示されるようなプロネーション加速方向に柱部材５７を配置することができ、これにより、プロネーションを抑制できる。さらに、踵骨の長軸の延長線Ｘ上に柱部材５１を配置することができ、これにより、踵の矢状軸面上での回転を防止できる。
【００８５】
なお、本実施態様では、柱部材５１〜５５の下面を支持するプレート４の支持部位に対応するアウトソール６の部位の下面を、当該アウトソール６の接地面６ａよりもΔだけ上方に沈んで配置するようにしたので、踵着地時に走路からアウトソール６に作用する反力は、まず、アウトソール６の接地面６ａに作用し、その後、各柱部材５１〜５５に分散されることになる。これにより、踵着地時に各柱部材５１〜５５から足への突き上げ感を緩和できる。
【図面の簡単な説明】
【００８６】
【図１】本発明の一実施態様によるソール構造体の外甲側側面図である。
【図２】図１のソール構造体の底面図である。
【図３】図１のソール構造体を構成するウェーブプレートおよび柱部材ユニットの底面図である。
【図４】図３の柱部材ユニットの底面図である。
【図５】図３の柱部材ユニットの平面図である。
【図６】図３のVI-VI線断面図においてミッドソールを併せて示している。
【図７】本実施態様の作用効果を説明するための図であって、図６においてミッドソールを省略した状態を示している。
【図８】本実施態様の作用効果を説明するための図である。
【図８Ａ】本実施態様の作用効果を説明するための図であって、波形状部からの反力の大きさを示している。
【図８Ｂ】図８Ａの比較例を示す図である。
【図９】（ａ）は分速１６７ｍ/ｓで走行したときの足圧分布図、（ｂ）は分速２００ｍ/ｓで走行したときの足圧分布図である。
【図１０】（ａ）は分速２５０ｍ/ｓで走行したときの足圧分布図、（ｂ）は分速３３３ｍ/ｓで走行したときの足圧分布図である。
【図１１】落錘実験を行ったときの図１のソール構造体（本発明品）の反発率をサンプル品Ａ〜Ｃの反発率と比較して示すグラフである。
【図１２】落錘実験を行ったときの本発明品の接地時間をサンプル品Ａ〜Ｃの接地時間と比較して示すグラフである。
【図１３】本発明品が適用されたシューズを着用して走行したときのプロネーション角度をサンプル品Ａ〜Ｃのプロネーション角度と比較して示すグラフである。
【符号の説明】
【００８７】
１：  ソール構造体
２：  ミッドソール
３：  ウェーブプレート
３０Ａ：  踵中央部
３０ａ：  貫通孔
Ｌ：  波形状の稜線
４：  プレート
５：  柱部材ユニット
５０：  連結プレート
５１〜５７：  柱部材
５１：  第１の柱部材
５２、５３：  第２の柱部材
５４、５５：  第３の柱部材
５３ａ、５５ａ：  上面
５３ｂ、５５ｂ：  下面
５３ｄ、５５ｄ：  内側面
ｈ１，ｈ２：  高さ
ｄ１，ｄ２：  幅
【図１】
0004399491.tif 000002
【図２】
0004399491.tif 000003
【図３】
0004399491.tif 000004
【図４】
0004399491.tif 000005
【図５】
0004399491.tif 000006
【図６】
0004399491.tif 000007
【図７】
0004399491.tif 000008
【図８】
0004399491.tif 000009
【図８Ａ】
0004399491.tif 000010
【図８Ｂ】
0004399491.tif 000011
【図９】
0004399491.tif 000012
【図１０】
0004399491.tif 000013
【図１１】
0004399491.tif 000014
【図１２】
0004399491.tif 000015
【図１３】
0004399491.tif 000016